(57)【要約】【課題】  湯又は水の分岐を行うことのできる分岐口付き湯水混合水栓において、例えば、湯・水の分岐を変更するなど分岐流路を変更する場合でも水栓の本体部を兼用することができるようにすることにより、製造コスト及び保守コストを低減させること。【解決手段】  給湯配管２に接続される湯側流路２２と給水配管３に連通接続される水側流路２４とが設けられ、湯側流路２２には湯側周回流路２６が連設され水側流路２４には水側周回流路２８が連設された本体部２０と、本体部２０に対して上下反転してそれぞれ装着可能に設けられるとともに、本体部２０に対して上下反転して装着されることにより、分岐口３２が、湯側周回流路２６又は水側連絡流路２８のいずれか一方に選択的に連通接続するように設けられて、湯側周回流路２６又は水側周回流路２８と浄水器や食器洗浄機等の他の機器とを連通接続する分岐口部材３０と、を設けた。【選択図】    図１
2012149478.tif 000002
【特許請求の範囲】
【請求項１】
給湯配管に接続される湯側流路と給水配管に連通接続される水側流路とが設けられ、前記湯側流路には湯側連絡流路が連設され前記水側流路には水側連絡流路が連設された本体部と、
前記本体部に対して上下反転してそれぞれ装着可能に設けられるとともに、前記本体部に対して上下反転して装着されることにより、分岐口が、前記湯側連絡流路又は前記水側連絡流路のいずれか一方に選択的に連通接続するように設けられて、前記湯側連絡流路又は前記水側連絡流路と浄水器や食器洗浄機等の他の機器とを連通接続する分岐口部材と、
が備えられたことを特徴とする分岐口付き湯水混合水栓。
【請求項２】
給湯配管に接続される湯側流路と給水配管に連通接続される水側流路とが設けられ、前記湯側流路には湯側連絡流路が連設され前記水側流路には水側連絡流路が連設されるとともに、前記湯側連絡流路と前記水側連絡流路との間の外周面に、複数以上のシール部材が取り付けられた本体部と、
前記湯側連絡流路又は前記水側連絡流路と浄水器や食器洗浄機等の他の機器とを連通接続する分岐口が設けられた分岐口部材と、
が備えられたことを特徴とする分岐口付き湯水混合水栓。
【請求項３】
給湯配管に接続される湯側流路と給水配管に連通接続される水側流路とが設けられ、前記湯側流路には湯側連絡流路が連設され前記水側流路には水側連絡流路が連設されるとともに、前記湯側連絡流路と前記水側連絡流路との間の外周面に、複数以上のシール部材が取り付けられた本体部と、
前記湯側連絡流路と浄水器や食器洗浄機等の他の機器とを連通接続する第一分岐口が設けられるとともに、内周面に、前記複数以上のシール部材の少なくとも一つが内接されるように配設された第一分岐口部材と、
該第一分岐口部材と別体に設けられ、前記水側連絡流路と浄水器や食器洗浄機等の他の機器とを連通接続する第二分岐口が設けられるとともに、内周面に、前記複数以上のシール部材の少なくとも一つが内接されるように配設された第二分岐口部材と、
が備えられたことを特徴とする分岐口付き湯水混合水栓。
【請求項４】
給湯配管に接続される湯側流路と給水配管に連通接続される水側流路とが設けられるとともに、前記湯側流路には湯側連絡流路が連設され前記水側流路には水側連絡流路が連設され、前記湯側連絡流路と前記水側連絡流路との間の外周面に、複数以上のシール部材が取り付けられた本体部と、
前記本体部に対して上下反転してそれぞれ装着可能に設けられるとともに、前記本体部に対して上下反転して装着されることにより、分岐口が、前記湯側連絡流路又は前記水側連絡流路のいずれか一方に選択的に連通接続するように設けられて、前記湯側連絡流路又は前記水側連絡流路と浄水器や食器洗浄機等の他の機器とを連通接続する分岐口部材、
又は、
前記湯側連絡流路と浄水器や食器洗浄機等の他の機器とを連通接続する第一分岐口が設けられるとともに、内周面に、前記複数以上のシール部材の少なくとも一つが内接されるように配設された第一分岐口部材と、
該第一分岐口部材と別体に設けられ、前記水側連絡流路と浄水器や食器洗浄機等の他の機器とを連通接続する第二分岐口が設けられるとともに、内周面に、前記複数以上のシール部材の少なくとも一つが内接されるように配設された第二分岐口部材と、
が備えられたことを特徴とする分岐口付き湯水混合水栓。
【発明の詳細な説明】
【技術分野】
【０００１】
本発明は分岐口付き湯水混合水栓に関する。
【背景技術】
【０００２】
従来、給湯配管に連通接続される湯側流路と給水配管に連通接続される水側流路とが設けられるとともに、前記湯側流路には湯側連絡流路が連設され前記水側流路には水側連絡流路が連設された本体部と、前記湯側連絡流路又は前記水側連絡流路と浄水器や食器洗浄機等の他の機器とを連通接続する分岐口が設けられた分岐口部材と、が備えられた分岐口付き湯水混合水栓には、下記のようなものが知られている。
【０００３】
従来例１では、二つの分岐口を備えるとともに、湯側流路に連設される湯側連絡流路に分岐口を連通接続するように構成し、他方の分岐口は水側流路を避けるよう対向する位置に分岐口を構成し、湯側流路のみが一方の分岐口と連通接続されるように設けることとしている。一方、水側流路に連設される水側連絡流路に分岐口を連通接続するように構成する場合には、他方の分岐口は湯側流路を避けるよう構成するものとしている（特許文献１）。また、従来例２では、円筒状ハブに分岐口が設けられ、この分岐口と連通する周回流路が、水栓本体に形成された貫通孔を介して湯側流路に連通接続されている（特許文献２）。
【先行技術文献】
【特許文献】
【０００４】
【特許文献１】特開２００５−１３３４５１公報（図１から図５）
【特許文献２】特開２００１−３３６６６５公報（図２）
【発明の概要】
【発明が解決しようとする課題】
【０００５】
しかしながら、前述した従来例では、湯側流路から湯を分岐させたい場合と、水側流路から水を分岐させたい場合とでは、それぞれの分岐用に水栓の本体部を構成しなくてはならず、湯側分岐用と水側分岐用で本体部を兼用できない。よって、湯側孔を備えた湯側分岐用の本体部と、水側貫通孔を備えた水側分岐用の本体部とをそれぞれ用意しておく必要が生じ、分岐口付き湯水混合水栓の製造コストが増加し、また、湯側分岐と水側分岐とを切り換える際の保守コストも増加する要因となっていた。
【０００６】
本発明は前述した従来の分岐口付き湯水混合水栓の問題点を解決するものであり、湯又は水の分岐を行うことのできる分岐口付き湯水混合水栓において、例えば、湯・水の分岐を変更するなど分岐流路を変更する場合でも水栓の本体部を兼用することができるようにすることにより、製造コスト及び保守コストを低減させることのできる分岐口付き湯水混合水栓を提供することを目的とする。
【課題を解決するための手段】
【０００７】
前述した課題を解決するための本発明の第一の手段は、
給湯配管に接続される湯側流路と給水配管に連通接続される水側流路とが設けられ、前記湯側流路には湯側連絡流路が連設され前記水側流路には水側連絡流路が連設された本体部と、
前記本体部に対して上下反転してそれぞれ装着可能に設けられるとともに、前記本体部に対して上下反転して装着されることにより、分岐口が、前記湯側連絡流路又は前記水側連絡流路のいずれか一方に選択的に連通接続するように設けられて、前記湯側連絡流路又は前記水側連絡流路と浄水器や食器洗浄機等の他の機器とを連通接続する分岐口部材と、
が備えられたことを特徴とする分岐口付き湯水混合水栓である。
【０００８】
本発明によれば、本体部には湯側連絡流路と水側連絡流路が設けられており、一方、分岐口部材を上下反転すれば、分岐口部材に設けられた分岐口が湯側連絡流路又は水側連絡流路のいずれかに選択的に連通接続される。よって、分岐口部材を上下反転することにより、本体部を変更することなく湯側の分岐、水側の分岐を変更することができる。
【０００９】
また本発明の第二の手段は、
給湯配管に接続される湯側流路と給水配管に連通接続される水側流路とが設けられ、前記湯側流路には湯側連絡流路が連設され前記水側流路には水側連絡流路が連設されるとともに、前記湯側連絡流路と前記水側連絡流路との間の外周面に、複数以上のシール部材が取り付けられた本体部と、
前記湯側連絡流路又は前記水側連絡流路と浄水器や食器洗浄機等の他の機器とを連通接続する分岐口が設けられた分岐口部材と、
が備えられたことを特徴とする分岐口付き湯水混合水栓である。
【００１０】
また本発明の第三の手段は、
給湯配管に接続される湯側流路と給水配管に連通接続される水側流路とが設けられ、前記湯側流路には湯側連絡流路が連設され前記水側流路には水側連絡流路が連設されるとともに、前記湯側連絡流路と前記水側連絡流路との間の外周面に、複数以上のシール部材が取り付けられた本体部と、
前記湯側連絡流路と浄水器や食器洗浄機等の他の機器とを連通接続する第一分岐口が設けられるとともに、内周面に、前記複数以上のシール部材の少なくとも一つが内接されるように配設された第一分岐口部材と、
該第一分岐口部材と別体に設けられ、前記水側連絡流路と浄水器や食器洗浄機等の他の機器とを連通接続する第二分岐口が設けられるとともに、内周面に、前記複数以上のシール部材の少なくとも一つが内接されるように配設された第二分岐口部材と、
が備えられたことを特徴とする分岐口付き湯水混合水栓である。
【００１１】
また本発明の第四の手段は、
給湯配管に接続される湯側流路と給水配管に連通接続される水側流路とが設けられるとともに、前記湯側流路には湯側連絡流路が連設され前記水側流路には水側連絡流路が連設され、前記湯側連絡流路と前記水側連絡流路との間の外周面に、複数以上のシール部材が取り付けられた本体部と、
前記本体部に対して上下反転してそれぞれ装着可能に設けられるとともに、前記本体部に対して上下反転して装着されることにより、分岐口が、前記湯側連絡流路又は前記水側連絡流路のいずれか一方に選択的に連通接続するように設けられて、前記湯側連絡流路又は前記水側連絡流路と浄水器や食器洗浄機等の他の機器とを連通接続する分岐口部材、
又は、
前記湯側連絡流路と浄水器や食器洗浄機等の他の機器とを連通接続する第一分岐口が設けられるとともに、内周面に、前記複数以上のシール部材の少なくとも一つが内接されるように配設された第一分岐口部材と、
該第一分岐口部材と別体に設けられ、前記水側連絡流路と浄水器や食器洗浄機等の他の機器とを連通接続する第二分岐口が設けられるとともに、内周面に、前記複数以上のシール部材の少なくとも一つが内接されるように配設された第二分岐口部材と、
が備えられたことを特徴とする分岐口付き湯水混合水栓である。
【００１２】
本体部の湯側連絡流路と前記水側連絡流路との間の外周面に、複数以上のシール部材を取り付けることにより、本体部の外周面と分岐口部材の内周面とのシールをより確実にすることができる。特に、前述した本発明の第三の手段のように、湯側連絡流路と他の機器とを連通接続する第一分岐口が設けられた第一分岐口部材と、この第一分岐口部材と別体に設けられ、水側連絡流路と他の機器とを連通接続する第二分岐口が備えられた分岐口付き湯水混合水栓の場合には、本体部とそれぞれの分岐口部材とのシールを図ることが必要とされるが、前述したように複数以上のシール部材が取り付けられていれば、第一分岐口部材及び第二分岐口部材のそれぞれの内周面にシール部材が各々確実に圧着されるようにすることができる。よって、それぞれの分岐口部材の向きをそれぞれ変えて第一分岐口と第二分岐口の位置をそれぞれ調整可能とするために、前述した本発明の第三の手段のように第一分岐口部材と第二分岐口部材とを別体に設けたいような場合であっても、それぞれの分岐口部材毎に各々のシール部材が確実に内接されるので、第一分岐口部材及び第二分岐口部材共にシールを確実にすることができる。
【００１３】
また、前述した本発明の第四の手段のように、本体部に対して上下反転してそれぞれ装着可能に設けられるとともに、前記本体部に対して上下反転して装着されることにより、分岐口が、前記湯側連絡流路又は前記水側連絡流路のいずれか一方に選択的に連通接続するように設けられて、前記湯側連絡流路又は前記水側連絡流路と浄水器や食器洗浄機等の他の機器とを連通接続する分岐口部材、
又は、
前記湯側連絡流路と浄水器や食器洗浄機等の他の機器とを連通接続する第一分岐口が設けられるとともに、内周面に、前記複数以上のシール部材の少なくとも一つが内接されるように配設された第一分岐口部材と、該第一分岐口部材と別体に設けられ、前記水側連絡流路と浄水器や食器洗浄機等の他の機器とを連通接続する第二分岐口が設けられるとともに、内周面に、前記複数以上のシール部材の少なくとも一つが内接されるように配設された第二分岐口部材、
のいずれかを選択的に装着しても、前述の通り、複数以上のシール部材により分岐口部材と本体部とのシールを確実にすることができる。
【発明の効果】
【００１４】
本発明の分岐口付き湯水混合水栓は前述のように構成され、湯又は水の分岐を行うことのできる分岐口付き湯水混合水栓において、例えば、湯・水の分岐を変更するなど分岐流路を変更する場合でも水栓の本体部を兼用することができるので、製造コスト及び保守コストを低減させることができる。
【図面の簡単な説明】
【００１５】
【図１】湯側流路に分岐口を連通させた状態の本発明の分岐口付き湯水混合水栓の一部破断面図である。
【図２】図１の分岐口付き湯水混合水栓の要部拡大破断面図である。
【図３】水側流路に分岐口を連通させた状態の本発明の分岐口付き湯水混合水栓の一部破断面図である。
【図４】第一分岐口部材と第二分岐口部材とを別体に設けた本発明の分岐口付き湯水混合水栓の一部破断面図である。
【図５】図４の分岐口付き湯水混合水栓の要部拡大破断面図である。
【発明を実施するための形態】
【００１６】
次に、本発明の実施の形態を図を参考にして詳細に説明する。図１から図３に示されるように、本発明の分岐口付き湯水混合水栓１ａは、分岐口部材３０が上下反転されて水栓本体１４の本体部２０に装着可能に設けられたものであり、本体部２０を変更することなく、それぞれ湯の分岐（図１）又は水の分岐（図３）に変更可能に設けられたものである。
【００１７】
分岐口付き湯水混合水栓１ａは、図示しない給湯源・給水源に給湯配管２・給水配管３を介して接続されており、上下方向及び水平方向に揺動自在に水栓本体１４上部に取り付けられた操作ハンドル４を操作することにより、水栓本体１４内部に配設された弁カートリッジ（図示省略）を駆動し、所望の吐水温度・吐水量で吐水管５先端の吐水口６から湯水を吐水可能に設けられたものである。吐水管５は、その基端側において、略円柱形状の本体部２０の外周面に対して回動自在に取り付けられたハブ５ａを介して、本体部２０周りに装着されている。
【００１８】
分岐口付き湯水混合水栓１ａの水栓本体１４は略円柱形状に形成され、設置部（図示省略）に立設されて固定されている。水栓本体１４の下端部には、後述する本体部２０等が取り付け固定されるベース７が備えられている。ベース７の下端には設置部に開設された挿通孔に挿通される挿通部８がわずかに突設されており、水栓本体１４は、この挿通部８周りに装着されたシートパッキン９を介して、設置部上に載置されている。
【００１９】
本体部２０下端には、給湯配管２及び給水配管３の端末具２ａ、３ａが螺合され、湯側流路２２及び水側流路２４に連通接続されている。また、本体部２０の下端部の背面寄りには、下方に突設されたボルト１０が備えられている。このボルト１０の下方先端側から、いわゆる迅速取付ナット１１が取り付け可能に設けられており、ボルト１０に取り付けられた迅速取付ナット１１により、ボルト１０の基端寄りに挿通された馬蹄座金１２を設置部の裏側面に向けて圧着可能に構成されている。このようにして、水栓本体１４に固設される馬蹄座金１２とベース７とで設置部を挟持固定し、湯水混合水栓１ａが設置部に固定されることになる。
【００２０】
次いで本体部２０の詳細について説明する。水栓本体１４内の本体部２０には、湯側流路２２及び水側流路２４が、軸心方向に沿って形成されている。また、図示は省略するが、弁カートリッジにおいて所望の温度に混合された湯水を吐水管５へ流出させるための混合流路も別途形成されている。また、ハブ５ａより下方に位置する本体部２０の外周面には、湯側流路２２に連通する湯側周回流路２６と、水側流路２４に連通する水側周回流路２８とが、それぞれ周回状に凹設されている。湯側周回流路２６は本体部２０の下方寄りに、水側周回流路２８は本体部２０の上方寄りにそれぞれ設けられている。本実施の形態においては、この湯側周回流路２６が本発明に言う「湯側連絡流路」に相当し、また水側周回流路２８が「水側連絡流路」に相当するが、本発明の「湯側連絡流路」及び「水側連絡流路」は周回状に凹設された流路に限定されるものではなく他の形状に形成されたものも含む。
【００２１】
また、湯側流路２２と湯側周回流路２６とは、湯側流路２２から本体部２０外周面方向に向けて形成された湯側貫通孔２３とにより連通され、同様に、水側流路２４と水側周回流路２８とは、水側流路２４から本体部２０外周面方向に向けて形成された水側貫通孔２５とにより連通されている。図１及び図２に示されるように、湯側貫通孔２３は、本体部２０内において、正面視左側外周面に向けて形成され、一方、水側貫通孔２５は、本体部２０内において、正面視右側外周面に向けて形成されており、湯側貫通孔２３と水側貫通孔２５とがその軸心方向を左右に対向させるようにして設けられている。
【００２２】
また、本体部２０の外周面には、下から順に本発明の「シール部材」の一例である第一〜第四Ｏリング２９ａ〜２９ｄがそれぞれ取り付けられている。湯側周回流路２６の上下の本体部２０の外周面には、第一Ｏリング２９ａ、第二Ｏリング２９ｂが湯側周回流路２６を上下に挟むようにして装着されている。また、水側周回流路２８の外周面には、同様に、「シール部材」の一例である第三Ｏリング２９ｃ、第四Ｏリング２９ｄが水側周回流路２８を上下に挟むようにして装着されている。本実施の形態においては、湯側周回流路２６と水側周回流路２８との間に装着されている第二Ｏリング２９ｂと第三Ｏリング２９ｃとが、本発明にいう「前記湯側連絡流路と前記水側連絡流路との間の外周面に」取り付けられた「複数以上のシール部材」に相当する。
【００２３】
次いで分岐口部材３０について説明する。湯側周回流路２６と水側周回流路２８とが設けられた部位の本体部２０の外周面には、前述したハブ５ａの下方に、円筒状の分岐口部材３０が回動自在に取り付けられている。分岐口部材３０は、前述した第一〜第四Ｏリング２９ａ〜２９ｄを内接させるように取り付けられている。分岐口部材３０の下端付近の内周面には第一Ｏリング２９ａが内接され、上端付近の内周面には第四Ｏリング２９ｄが内接されている。また、湯側周回流路２６と水側周回流路２８との間の内周面には、下方から順に第二Ｏリング２９ｂ及び第三Ｏリング２９ｃが内接されている。このようにして、湯側周回流路２６及び水側周回流路２８からの水漏れ防止が図られ、本体部２０の外周面と分岐口部材３０の内周面とのシールをより確実にするように構成されている。
【００２４】
また、分岐口部材３０の軸心方向の一端寄りには分岐口３２が設けられている。分岐口３２には分岐口部材３０内周面に連通する連通孔３４が設けられている。分岐口部材３０は本体部２０に対して上下反転してそれぞれ装着可能に設けられており、図１及び図２の状態では、分岐口３２が本体部２０の下方寄りに位置するように取り付けられて、連通孔３４が湯側周回流路２６と連通接続されるように取り付けられている。この場合には、分岐口３２は湯水混合水栓１ａの湯側流路２２から分岐され、湯側流路２２と浄水器や食器洗浄機等の他の機器（図示省略）とが連通接続可能に構成されることになる。一方で、図３のように、分岐口部材３０が図１及び図２の状態から上下反転されて本体部２０に装着された場合には、連通孔３４が水側周回流路２８と連通接続されるように取り付けられる。この場合には、分岐口３２は湯水混合水栓１ａの水側流路２４から分岐され、水側流路２４と浄水器や食器洗浄機等の他の機器（図示省略）とが連通接続可能に構成されることになる。なお、図１及び図２に示されるように、分岐口３２には、これを使用しない場合にはフタ３６を取り付けて閉止することができるように構成されている。
【００２５】
次いで、本発明の第二の実施の形態について説明する。本実施の形態の分岐口付き湯水混合水栓１ｂは、図４及び図５に示されるように、前述の第一の実施の形態と異なり第一分岐口部材３０ａと第二分岐口部材３０ｂとが互いに別体に構成され、湯の分岐及び水の分岐を同時に行うことができるように設けられたものである。なお、以下において前述した第一の実施の形態と同一の構成については、図中に第一の実施の形態に付した符号と同一の符号を付することにより、その説明を省略する。
【００２６】
図５に示されるように、この分岐口付き湯水混合水栓１ｂでは、ハブ５ａとベース７との間の本体部２０外周に、ベース７側に第一分岐口部材３０ａが、ハブ５ａ側に第二分岐口部材３０ｂが装着されている。また、第一分岐口部材３０ａと第二分岐口部材３０ｂは、それぞれ本体部２０軸心周りに回動自在に装着されており、分岐口付き湯水混合水栓１ｂの周りの設置部上の空きスペースの状況や棚等の水栓部品の設置状況等により、分岐口付き湯水混合水栓１ｂから分岐接続される他の機器の設置場所に制約を受ける場合であっても、第一分岐口部材３０ａ又は第二分岐口部材３０ｂの向きを回動調節して、他の機器への接続を容易にしたり、分岐接続されるホースなどが邪魔にならないように構成されている。
【００２７】
また、第一分岐口部材３０ａは、円筒形状に形成され、第一Ｏリング２９ａ、湯側周回流路２６及び第二Ｏリング２９ｂがその内周面に内接するようにして本体部２０に装着されている。また、第二分岐口部材３０ｂは、同様に円筒形状に形成され、第三Ｏリング２９ｃ、水側周回流路２８及び第四Ｏリング２９ｄがその内周面に内接するようにして本体部２０に装着されている。このようにして、第一分岐口部材３０ａにおいては、湯側周回流路２６を挟んで第一Ｏリング２９ａ及び第二Ｏリング２９ｂがその内周面に確実に圧着され、また、第二分岐口部材３０ｂにおいては、水側周回流路２８を挟んで第三Ｏリング２９ｃ及び第四Ｏリング２９ｄがその内周面に確実に圧着され、湯側周回流路２６と水側周回流路２８は、それぞれ上下に配設されたシール部材によって確実にシールされる。
【００２８】
このように、分岐口付き湯水混合水栓１ｂでは、第一分岐口部材３０ａと第二分岐口部材３０ｂとの向きをそれぞれ調節可能にするために別体に設けた場合であっても、第一分岐口部材３０ａ及び第二分岐口部材３０ｂと本体部２０とのシールをそれぞれに確実に図ることが可能に構成されている。
【００２９】
本発明は前述のように構成されているが、これらに限られるものではなく、本発明の趣旨の範囲内において種々の変更が可能である。例えば、「シール部材」はＯリングに限られず、Ｘパッキン等の他の種類のシール部材でも良い。また、第一分岐口部材３０ａと第二分岐口部材３０ｂとはその上下方向の位置を入れ替えると共に、本体部２０の湯側貫通孔２３及び湯側周回流路２６と、水側貫通孔２５及び水側周回流路２８の上下方向の位置を入れ替えることとしても良い。
【産業上の利用可能性】
【００３０】
本発明は分岐口付き湯水混合水栓に広く利用することができる。
【符号の説明】
【００３１】
１ａ，１ｂ；分岐口付き湯水混合水栓、２；給湯配管、２ａ；端末具、３；給水配管、３ａ；端末具、４；操作ハンドル、５；吐水管、５ａ；ハブ、６；吐水口、７；ベース、８；挿通部、９；シートパッキン、１０；ボルト、１１；迅速取付ナット、１２；馬蹄座金、１４；水栓本体、２０；本体部、２２；湯側流路、２３；湯側貫通孔、２４；水側流路、２５；水側貫通孔、２６；湯側周回流路、２８；水側周回流路、２９ａ；第一Ｏリング、２９ｂ；第二Ｏリング、２９ｃ；第三Ｏリング、２９ｄ；第四Ｏリング、３０；分岐口部材、３０ａ；第一分岐口部材、３０ｂ；第二分岐口部材、３２；分岐口、３４；連通孔、３６；フタ。
【図１】
2012149478.tif 000003
【図２】
2012149478.tif 000004
【図３】
2012149478.tif 000005
【図４】
2012149478.tif 000006
【図５】
2012149478.tif 000007